(57)【要約】【課題】通信デバイスを新たに搭載することなく、近接検知するセンサを使用して赤外線通信を行うことが可能になり、より利便性の高い光検出装置を提供する。【解決手段】発光素子(２)と、受光素子(１４)と、発光素子(２)から被検知物に光を照射させて、受光素子(１４)により受光された被検知物からの反射光の量に基づいて被検知物が近接したか否かを検知する近接検知部(１１a)と、近接検知部(１１a)により被検知物の近接を検知する近接検知モードと、発光素子(２)から光信号を送信し、受光素子(１４)により光信号を受信する通信モードとを切り替えるモード切替部(１１d)とを備える。【選択図】図１
2014120285.tif 000002
【特許請求の範囲】
【請求項１】
発光素子と、
受光素子と、
上記発光素子から被検知物に光を照射させて、上記受光素子により受光された上記被検知物からの反射光の量に基づいて上記被検知物が近接したか否かを検知する近接検知部と、
上記近接検知部により上記被検知物の近接を検知する近接検知モードと、上記発光素子から光信号を送信し、上記受光素子により光信号を受信する通信モードとを切り替えるモード切替部と
を備えたことを特徴とする光検出装置。
【請求項２】
請求項１に記載の光検出装置において、
上記発光素子から出力される上記光信号を変調するための変調回路を備えたことを特徴とする光検出装置。
【請求項３】
請求項１または２に記載の光検出装置において、
上記受光素子で受光された上記光信号を復調するための復調回路を備えたことを特徴とする光検出装置。
【請求項４】
請求項３に記載の光検出装置において、
上記復調回路により、上記受光素子で受光された光信号を復調して得られた受信データを記憶する記憶部を備えたことを特徴とする光検出装置。
【請求項５】
請求項４に記載の光検出装置において、
上記記憶部に記憶された送信データを、上記光信号として上記発光素子から送信させる送信制御部を備えたことを特徴とする光検出装置。
【発明の詳細な説明】
【技術分野】
【０００１】
この発明は、光検出装置および電子機器に関し、詳しくは、被検知物の近接を検知する機能を有する光検出装置およびこれを備えた電子機器に関する。
【背景技術】
【０００２】
近年、スマートフォンなどに代表される画面付きモバイル機器が広く利用されている。このようなモバイル機器では、電池寿命を延長して利便性を高めることが求められている。例えば、携帯電話の通話中に画面を見ることがないため、液晶バックライトを消灯して、液晶パネルの消費電力を低減することにより、バッテリを長時間持たせることが可能となる。
【０００３】
さらに、近年のスマートフォンでは、タッチパネル機能付き画面が採用され、入力ヒューマンインターフェースが向上されている。しかし、タッチパネル機能付きの携帯電話では、通話中にタッチパネルが人の肌に触れて、タッチパネル機能が誤作動する問題が生じる恐れがある。
【０００４】
このような背景から、被検知物としての人の肌(主に頬)を検出し、画面の点灯／消灯、タッチパネル機能のオン／オフなどを自動調整するために、近接センサ(例えば、特開２０１０−１５７５１３号公報(特許文献１)参照)を搭載することが一般的となっている。
【０００５】
これらモバイル機器に搭載されている近接センサは、赤外ＬＥＤ等による発光部とフォトダイオードなどによる受光部を有し、発光部から照射された赤外線が近傍の物体に当たり、反射した赤外線が受光部に入射することにより、物体を検知している。
【０００６】
従来の近接センサ機能を有する光検出装置について、図４,図５を参照して説明する。図４は、上記近接センサ機能を有する光検出装置の概略構成を示す模式図である。
【０００７】
上記光検出装置は、図４に示すように、素子基板１０１の上に赤外ＬＥＤ１０２と、フォトダイオードなどの受光素子を含む制御用ＩＣ１０３とを搭載している。赤外ＬＥＤ１０２は、透光樹脂１０４ａによって封止されると共に、受光素子を含む制御用ＩＣ１０３は、透光樹脂１０４ｂによって封止されている。この透光樹脂１０４ａ,１０４ｂの周囲および透光樹脂１０４ａ,１０４ｂ間に、光を通さない遮光樹脂１０５を形成している。
【０００８】
この光検出装置は、実装基板１０６の上にリフローはんだ付けなどの方法で実装されており、携帯電話などのモバイル機器の筐体からなるパネル１０７の下部に一定の距離を保って保持されている。
【０００９】
このパネル１０７には、赤外ＬＥＤ１０２から被検知物１０９への赤外光および被検知物１０９から受光素子を含む制御用ＩＣ１０３へ向かう赤外反射光を透過させるパネル窓部１０８が備えられている。
【００１０】
上記光検出装置の近接センサとしての動作は、次のように行われる。すなわち、赤外ＬＥＤ１０２が発光した光が、パネル窓部１０８を介して被検知物１０９によって反射され、被検知物１０９からの反射光をパネル窓部１０８を介して制御用ＩＣ１０３の受光素子が検出する。そして、制御用ＩＣ１０３の受光素子により検出された反射光の量が予め設定された閾値を越えるか否かを判定して、被検知物１０９の有無を検出する。
【００１１】
次に、上記光検出装置の制御用ＩＣ１０３の回路構成を図５のブロック図に従って説明する。
【００１２】
この光検出装置では、Ｉ２Ｃ(Inter-Integrated Circuit)などのシリアルインターフェースのバス端子１１０を介して制御回路１１１内の制御用レジスタを設定することにより制御回路１１１でパルス発生回路１１２を制御し、赤外線発光のためのパルスを生成して、定電流回路１１３を駆動することにより、赤外ＬＥＤ１０２を発光させている。
【００１３】
この赤外ＬＥＤ１０２から発せられた赤外線は、近傍に物体が存在する場合に反射光となって制御用ＩＣ１０３の受光部１１４に入射し、入射した反射光の量を信号処理回路１１５にてデジタル値に変換し、制御回路１１１内のデータ用レジスタに格納すると共に、予め設定された閾値と比較する。そして、上記反射光の量が閾値を超えない状態から上記閾値を超えた状態に変化した場合は、被検知物が接近したと判断する一方、上記反射光の量が閾値を超えた状態から上記閾値を超えない状態に変化した場合は、被検知物が遠ざかったと判断する。そして、上記判断結果に応じた信号を出力端子１１６から出力すると共に、制御回路１１１内の検知結果レジスタに検知結果を格納する。
【００１４】
これにより、上記近接センサの機能を有する光検出装置を用いたスマートフォンなどの電子機器は、出力端子１１６の出力を確認することにより近傍に物体が存在しているか否かの状態を知ることが可能となり、物体が存在する場合はバックライトを消灯したり、タッチパネルを無効とする処理が行え、近傍に物体がなくなればバックライトを点灯したり、タッチパネルを有効とする処理が行える。
【先行技術文献】
【特許文献】
【００１５】
【特許文献１】特開２０１０−１５７５１３号公報
【発明の概要】
【発明が解決しようとする課題】
【００１６】
ところで、国内で発売されているスマートフォンでは、ＩｒＤＡ(Infrared Data Association)などの赤外線通信デバイスの搭載が一般的であるが、海外で発売されているスマートフォンでは、コスト削減のために赤外線通信デバイスの非搭載化が進んでおり、現在では赤外線通信デバイスを搭載した製品は、ほぼ皆無となっている。しかし、データ量の少ない近距離通信の用途は依然として存在する。
【００１７】
しかしながら、このような近距離通信用に通信デバイスを新たに搭載することは、コストが高くなるために採用できないという問題がある。
【００１８】
そこで、この発明は、上記課題に鑑みてなされたものであり、通信デバイスを新たに搭載することなく、近接検知するセンサを使用して赤外線通信を行うことが可能になり、より利便性の高い光検出装置およびそれを用いた電子機器を実現することを主たる目的とする。
【課題を解決するための手段】
【００１９】
上記課題を解決するため、この発明の光検出装置は、
発光素子と、
受光素子と、
上記発光素子から被検知物に光を照射させて、上記受光素子により受光された上記被検知物からの反射光の量に基づいて上記被検知物が近接したか否かを検知する近接検知部と、
上記近接検知部により上記被検知物の近接を検知する近接検知モードと、上記発光素子から光信号を送信し、上記受光素子により光信号を受信する通信モードとを切り替えるモード切替部と
を備えたことを特徴とする。
【００２０】
また、一実施形態の光検出装置では、
上記発光素子から出力される上記光信号を変調するための変調回路を備えた。
【００２１】
また、一実施形態の光検出装置では、
上記受光素子で受光された上記光信号を復調するための復調回路を備えた。
【００２２】
また、一実施形態の光検出装置では、
上記復調回路により、上記受光素子で受光された光信号を復調して得られた受信データを記憶する記憶部を備えた。
【００２３】
また、一実施形態の光検出装置では、
上記記憶部に記憶された送信データを、上記光信号として上記発光素子から送信させる送信制御部を備えた。
【００２４】
また、一実施形態の光検出装置では、
少なくとも上記受光素子と上記近接検知部と上記モード切替部とが形成された半導体集積回路を備え、
上記半導体集積回路に、上記発光素子から光信号として送信する送信データを入力するための送信データ入力端子を備えた。
【００２５】
また、一実施形態の光検出装置では、
少なくとも上記受光素子と上記近接検知部と上記モード切替部とが形成された半導体集積回路を備え、
上記半導体集積回路に、上記受光素子で受信された上記光信号が表す受信データを出力する受信データ出力端子を備えた。
【００２６】
また、一実施形態の光検出装置では、
上記記憶部は、上記近接検知部により上記被検知物の近接を検知する上記近接検知モードにおいて、上記近接検知部の制御データの記憶に用いられる。
【００２７】
また、この発明の電子機器では、
上記のいずれか１つの光検出装置が搭載されていることを特徴とする。
【発明の効果】
【００２８】
以上より明らかなように、この発明によれば、通信デバイスを新たに搭載することなく、近接検知するセンサを使用して赤外線通信を行うことが可能になり、より利便性の高い光検出装置およびそれを用いた電子機器を実現することができる。
【図面の簡単な説明】
【００２９】
【図１】図１はこの発明の第１実施形態の光検出装置の回路構成を示すブロック図である。
【図２】図２はこの発明の第２実施形態の光検出装置の回路構成を示すブロック図である。
【図３】図３はこの発明の第３実施形態の光検出装置を用いた電子機器の一例としての携帯電話の構成を示すブロック図である。
【図４】図４は従来の近接センサ機能を有する光検出装置の概略構成を示す模式図である。
【図５】図５は従来の光検出装置の制御用ＩＣの回路構成を説明したブロック図である。
【発明を実施するための形態】
【００３０】
以下、この発明の光検出装置を図示の実施の形態により詳細に説明する。
【００３１】
〔第１実施形態〕
図１はこの発明の第１実施形態の光検出装置の回路構成を示すブロック図である。
【００３２】
この第１実施形態の光検出装置は、図１に示すように、制御回路１１と、制御回路１１により制御されるパルス発生回路１２と、パルス発生回路１２からのパルス信号により制御される定電流回路１３と、受光素子の一例としての受光部１４と、受光部１４からの受光信号を処理する信号処理回路１５と、赤外線通信用変調回路１７と、赤外線通信用復調回路１８と、発光素子の一例としての赤外ＬＥＤ２とを備えている。
【００３３】
上記制御回路１１とパルス発生回路１２と定電流回路１３と受光部１４と信号処理回路１５と赤外線通信用変調回路１７および赤外線通信用復調回路１８で、半導体集積回路の一例としての制御用ＩＣ３を構成している。この制御用ＩＣ３は、制御回路１１から被検知物の近接を表す信号を出力するための出力端子１６と、データを入出力するための送信データ出力端子,受信データ入力端子の一例としてのバス端子１０とを有する。また、制御用ＩＣ３は、赤外ＬＥＤ２のカソードが接続された接続端子２０を有し、その接続端子２０を介して赤外ＬＥＤ２のカソードを定電流回路１３に接続している。また、赤外ＬＥＤ２のアノードは電源電圧Ｖccに接続されている。
【００３４】
上記制御回路１１は、近接検知モードにおいて被検知物が近接したことを検知する近接検知部１１aと、通信モードにおいて赤外ＬＥＤ２から光信号を出力させる送信制御部１１bと、通信モードにおいて受光部１４で受光された光信号に基づく受信データを出力する受信制御部１１cと、近接検知モードと赤外線送信モードおよび赤外線受信モードとを切り替えるモード切替部１１dと、記憶部の一例としてのレジスタ部１１eとを有する。
【００３５】
上記光検出装置において、Ｉ２Ｃ(Inter-Integrated Circuit)などのバス端子１０を介して外部より制御回路１１内のレジスタ部１１eのうちの制御用レジスタを設定することにより、モード切替部１１dは、近接検知モードと赤外線通信モード(赤外線送信モードおよび赤外線受信モード)とを切り替える。
【００３６】
＜近接検知モード＞
上記制御回路１１が近接検知モードに設定された場合は、パルス発生回路１２と信号処理回路１５を制御して、被検知物が近接しているか否かの検知を行う。
【００３７】
より詳しくは、制御回路１１によって、パルス発生回路１２を制御して、パルス発生回路１２で赤外線発光のためのパルス信号を生成して、そのパルス信号により定電流回路１３を駆動することにより、赤外ＬＥＤ２発光させる。
【００３８】
そして、近傍に被検知物である物体が存在する場合、赤外ＬＥＤ２から発せられた赤外線は、被検知物からの反射光となって制御用ＩＣ３の受光部１４に入射し、入射した反射光の量を信号処理回路１５にてデジタル値に変換し、制御回路１１内のレジスタ部１１eのうちのデータ用レジスタに格納する。
【００３９】
また、制御回路１１の近接検知部１１aで反射光の量と予め設定された閾値とを比較し、上記閾値を超えない状態から上記閾値を超えた状態に変化した場合は、被検知物が接近したと判断し、被検知物の近接を表す信号を出力端子１６から出力する。一方、制御回路１１の近接検知部１１aで反射光の量が上記閾値を超えた状態から上記閾値を超えない状態に変化した場合は、被検知物が遠ざかったと判断し、被検知物が非接近であることを表す信号を出力端子１６から出力する。また、この近接検知部１１aの近接検知の結果を制御回路１１内のレジスタ部１１eのうちの検知結果レジスタに格納する。
【００４０】
＜赤外線送信モード＞
一方、制御回路１１が赤外線送信モードに設定された場合は、送信制御部１１bにより赤外線通信用変調回路１７を制御して、制御回路１１内のレジスタ部１１eのうちのデータ用レジスタに書き込まれた送信データに基づいて、赤外線通信用変調回路１７により変調された送信信号を出力する。この赤外線通信用変調回路１７からの変調された送信信号を受けて、定電流回路１３は赤外ＬＥＤ２をパルス発光させて、赤外線によるデータの送信を行う。
【００４１】
＜赤外線受信モード＞
また、制御回路１１が赤外線受信モードに設定された場合は、受光部１４からの受光信号を赤外線通信用復調回路１８で復調を行い、受信制御部１１cは、赤外線通信用復調回路１８で復調して得られた受信データを、制御回路１１内のレジスタ部１１eのうちのデータ用レジスタに格納する。
【００４２】
そして、受信制御部１１cは、レジスタ部１１eのうちのデータ用レジスタに格納された受信データを、バス端子１０を介して外部に出力する。
【００４３】
これにより、上記近接センサの機能を有する光検出装置を搭載したスマートフォンなどの電子機器は、送信したいデータをＩ２Ｃなどのバス端子１０を介して光検出装置に送るだけで赤外線でのデータ送信が可能となると共に、赤外線の受信においては、制御回路１１内のレジスタ部１１eのうちのデータ用レジスタを読み出すだけで赤外線でのデータ受信が可能となる。
【００４４】
なお、当技術に用いる変調,復調の方式は、ＩｒＤＡなどの既存方式を用いても良いし、独自の変調,復調方式を用いることも可能である。
【００４５】
さらに、赤外線通信で使用するレジスタ部１１eのうちのデータ用レジスタを、近接センサ用のレジスタと兼用することにより、チップサイズの拡大を防ぐことが可能である。
【００４６】
また、近接センサには、周囲の照度を検出する照度センサの機能を追加したものや、色温度を検出するＲＧＢ(赤,緑,青)センサの機能を追加したものがあるが、これらの近接センサにも同様にこの発明を適用できる。
【００４７】
上記構成の光検出装置によれば、近接検知モードでは、被検知物の近接検知を行うことができ、通信モード(赤外線送信モードおよび赤外線受信モード)では、赤外線などによる通信を行うことができる。したがって、通信デバイスを新たに搭載することなく、近接検知するセンサを使用して赤外線通信を行うことが可能になり、より利便性の高い光検出装置を実現できる。
【００４８】
また、光信号を使用して「０」,「１」のデジタル送信を行うには何らかの変調をかける必要があるが、赤外ＬＥＤ２から出力される光信号を変調するための赤外線通信用変調回路１７を備えたことによって、光検出装置の外部で変調を行う必要がない。
【００４９】
また、受光素子で受光された光信号を基の「０」,「１」のデジタル値に戻すには復調をかける必要があるが、受光部１４で受光された光信号を復調するための赤外線通信用復調回路１８を備えたことによって、光検出装置の外部で復調を行う必要がない。
【００５０】
また、上記復調回路により受光部１４で受光された光信号を復調して得られた受信データをレジスタ部１１eに記憶することにより、外部に受信用メモリーを用意する必要がなく、また必要な時にレジスタ部１１eから受信データを読み出すことが可能となる。
【００５１】
また、上記送信制御部１１bによって、レジスタ部１１eに記憶された送信データを赤外線通信用変調回路１７により変調させて、赤外ＬＥＤ２から光信号として送信させることによって、Ｉ２Ｃなどのバス端子１０を介して外部から送信したい送信データを光検出装置のレジスタ部１１eに記憶するだけで赤外線送信が実現できる。
【００５２】
また、上記赤外ＬＥＤ２から光信号として送信する送信データを入力するための入力端子としてのバス端子１０を制御用ＩＣ３に備えたことによって、外部から入力した送信データに基づいて赤外ＬＥＤ２を発光させることが可能となる。
【００５３】
また、上記受光部１４で受信された光信号が表す受信データを出力する出力端子としてのバス端子１０を制御用ＩＣ３に備えたことによって、受信データを外部に出力することが可能となる。
【００５４】
また、上記近接検知部１１aにより被検知物の近接を検知する近接検知モードにおいて、レジスタ部１１eを近接検知部１１aの制御データの記憶に用いて、赤外線通信モード(赤外線送信モードおよび赤外線受信モード)で使用するデータ用レジスタと近接検知モードで使用するデータ用レジスタとを兼用することにより、チップサイズの拡大を防ぐことが可能である。
【００５５】
従来の近接センサでは、センサの動作を制御する制御用レジスタと近接センサの検知状態(受光した赤外線の量をデシタル値に変換したもの)を格納するデータ用レジスタは既に備わっており、この発明の光検出装置では、このデータ用レジスタを通信モードでも使用する。
【００５６】
〔第２実施形態〕
図２はこの発明の第２実施形態の光検出装置の回路構成を示すブロック図である。
【００５７】
上記第２実施形態の光検出装置は、図２に示すように、制御回路２１と、制御回路２１により制御されるパルス発生回路１２と、パルス発生回路１２からのパルス信号により制御される定電流回路１３と、受光素子の一例としての受光部１４と、発光素子の一例としての赤外ＬＥＤ２とを備えている。この第２実施形態の光検出装置は、赤外線通信用復調回路１８と赤外線通信用変調回路１７がない点と、定電流回路１３に接続された赤外線送信用入力端子１９が設けられている点と、制御回路２１の動作が異なる点で第１実施形態の光検出装置と相違する。
【００５８】
上記制御回路２１とパルス発生回路１２と定電流回路１３と受光部１４で、半導体集積回路の一例としての制御用ＩＣ２３を構成している。この制御用ＩＣ２３は、制御回路２１から被検知物の近接を表す信号を出力するための出力端子１６と、データを入出力するためのバス端子１０とを有する。
【００５９】
上記制御回路２１は、近接検知モードにおいて被検知物が近接したことを検知する近接検知部２１aと、近接検知モードと赤外線通信モードとを切り替えるモード切替部２１bと、レジスタ部２１cとを有する。
【００６０】
上記光検出装置において、Ｉ２Ｃなどのバス端子１０を介して外部より制御回路２１内のレジスタ部２１cのうちの制御用レジスタを設定することにより、モード切替部２１bは、近接検知モードと赤外線通信モードとを切り替える。
【００６１】
＜近接検知モード＞
近接検知モードに設定された場合は、図１に示す光検出装置と同様に制御回路２１によりパルス発生回路１２と信号処理回路１５を制御して、被検知物が近接しているか否かの検知を行う。
【００６２】
＜赤外線通信モード＞
一方、赤外線通信モードに設定された場合は、パルス発生回路１２の動作を停止し、赤外線送信用入力端子１９に入力された信号に基づいて、定電流回路１３は赤外ＬＥＤ２を発光させて、赤外線によるデータ送信を行う。
【００６３】
一方、受光部１４に入射した光信号を信号処理回路１５で増幅のみ行い、増幅した信号を受けた制御回路２１は、出力端子１６からそのまま出力する。
【００６４】
これにより、上記近接検知機能を有する光検出装置を搭載したスマートフォンは、赤外線により送信したいデータを赤外線送信用入力端子１９に入力するだけで赤外線送信が可能となる一方、出力端子１６から出力される信号を読み取ることで赤外線によるデータ受信が可能である。
【００６５】
この光検出装置の方式であれば、光検出装置の回路を増やすこと無く、自由な赤外線通信を行うことが可能となる。
【００６６】
上記構成の光検出装置によれば、近接検知モードでは、被検知物の近接検知を行うことができ、通信モードでは、赤外線などによる通信を行うことができる。したがって、通信デバイスを新たに搭載することなく、近接検知するセンサを使用して赤外線通信を行うことが可能になり、より利便性の高い光検出装置を実現できる。
【００６７】
〔第３実施形態〕
図３はこの発明の第３実施形態の光検出装置を用いた電子機器の一例としての携帯電話(スマートフォン)の構成を示すブロック図である。図３において、３９は被検知物である。
【００６８】
この第２実施形態の携帯電話３０は、図３に示すように、タッチパネル機能付きの液晶パネル３１と、バックライト３２と、制御装置３３と、光検出装置３４とを備えている。液晶パネル３１は、携帯電話３０を操作するための画面を表示する。バックライト３２は、液晶パネル３１を背面から照射するための光源であり、ＬＥＤまたは冷陰極管(図示せず)を有している。制御装置３３は、光検出装置３４からのデジタル信号ＤＯＵＴに基づいて、バックライト３２のオンオフを制御する。また、制御装置３３と光検出装置３４は、Ｉ２Ｃなどのバス端子３５を介して接続されている。
【００６９】
上記携帯電話３０は、光検出装置３４として、第１実施形態の光検出装置を備えている。この光検出装置３４は、被検知物３９の近接・非近接の検知と、赤外線通信の２つの機能を有しているので、携帯電話３０を容易に小型化できる。
【００７０】
上記携帯電話３０に着信があり、ユーザが通話開始のボタンを押下すると、光検出装置３４は、近接センサとして機能する。これにより、ユーザの顔が液晶パネル３１に近づくにつれて、光検出装置３４から出力されるデジタル信号ＤＯＵＴの値が大きくなる。そして、デジタル信号ＤＯＵＴの値が所定値を超えると、制御装置３３は、バックライト３２を消灯させると共に、液晶パネル３１のタッチパネル機能をオフにする。これにより、バックライト３２の消費電力を抑えることができると共に、タッチパネル機能の誤作動を防止できる。
【００７１】
上記構成の携帯電話よれば、光検出装置３４を搭載することによって、利便性の高い携帯電話を実現することができる。
【００７２】
上記第１,第２実施形態の光検出装置では、赤外線を用いた光通信および近接検知を行ったが、赤外線以外の波長の光を用いた光通信および近接検知を行う光検出装置にこの発明を適用してもよい。
【００７３】
また、上記第３実施形態では、光検出装置を用いた電子機器としての携帯電話(スマートフォン)について説明したが、光検出装置を用いた電子機器は、これに限らず、ＰＨＳ(Personal Handiphone System:パーソナル・ハンディホン・システム)等でもよく、ＰＤＡ(Personal Digital Assistant：パーソナル・デジタル・アシスタント)、ノート型パーソナルコンピュータ、モバイルツール、電子辞書、電卓、ゲーム機等の他の電子機器でもよい。
【００７４】
この発明の具体的な実施の形態について説明したが、この発明は上記第１〜第３実施形態に限定されるものではなく、この発明の範囲内で種々変更して実施することができる。
【００７５】
この発明の光検出装置は、
発光素子２と、
受光素子１４と、
上記発光素子２から被検知物に光を照射させて、上記受光素子１４により受光された上記被検知物からの反射光の量に基づいて上記被検知物が近接したか否かを検知する近接検知部１１aと、
上記近接検知部１１aにより上記被検知物の近接を検知する近接検知モードと、上記発光素子２から光信号を送信し、上記受光素子１４により光信号を受信する通信モードとを切り替えるモード切替部１１dと
を備えたことを特徴とする。
【００７６】
上記構成によれば、近接検知モードでは、被検知物の近接検知を行うことができ、通信モードでは、赤外線などによる通信を行うことができる。したがって、通信デバイスを新たに搭載することなく、近接検知するセンサを使用して赤外線通信を行うことが可能になり、より利便性の高い光検出装置を実現できる。
【００７７】
また、一実施形態の光検出装置では、
上記発光素子２から出力される上記光信号を変調するための変調回路１７を備えた。
【００７８】
光信号を使用して「０」,「１」のデジタル送信を行うには何らかの変調をかける必要があったが、上記実施形態によれば、外部に変調回路は不要となる。なお、スマートフォンのチップセットやソフトウェアなどで変調が可能な場合、光検出装置からこの機能を省くことにより、半導体集積回路３,３０サイズ低減が可能となる。
【００７９】
また、一実施形態の光検出装置では、
上記受光素子１４で受光された上記光信号を復調するための復調回路１８を備えた。
【００８０】
受光素子１４で受光された光信号を基の「０」,「１」のデジタル値に戻すには復調をかける必要があったが、上記実施形態によれば、外部に復調回路が不要となる。なお、スマートフォンのチップセットやソフトウェアなどで復調が可能な場合、光検出装置からこの機能を省くことにより、半導体集積回路３,３０のサイズ低減が可能となる。
【００８１】
また、一実施形態の光検出装置では、
上記復調回路１８により、上記受光素子１４で受光された光信号を復調して得られた受信データを記憶する記憶部１１eを備えた。
【００８２】
上記実施形態によれば、受信データを記憶部１１eに記憶することにより、外部に受信用メモリーを用意する必要がなく、また必要な時に記憶部１１eから受信データを読み出すことが可能となる。
【００８３】
また、一実施形態の光検出装置では、
上記記憶部１１eに記憶された送信データを、上記光信号として上記発光素子２から送信させる送信制御部１１bを備えた。
【００８４】
上記実施形態によれば、光検出装置が記憶部１１eに記憶された送信データを送信する機能を有することにより、Ｉ２Ｃなどのバス端子１０を介して外部から送信したい送信データを光検出装置の記憶部１１eに記憶するだけで赤外線送信が実現できる。
【００８５】
また、一実施形態の光検出装置では、
少なくとも上記受光素子１４と上記近接検知部１１aと上記モード切替部１１dとが形成された半導体集積回路３,３０を備え、
上記半導体集積回路３,３０に、上記発光素子２から光信号として送信する送信データを入力するための送信データ入力端子１０,１９を備えた。
【００８６】
従来の近接センサでは外部から入力した信号を基に発光素子２を発光させる手段が無かったが、上記実施形態によれば、発光素子２から光信号として送信する送信データを入力するための送信データ入力端子１０,１９を半導体集積回路３,３０に備えることによって、外部から入力した送信データに基づいて発光素子２を発光させることが可能となる。
【００８７】
また、一実施形態の光検出装置では、
少なくとも上記受光素子１４と上記近接検知部１１aと上記モード切替部１１dとが形成された半導体集積回路３,３０を備え、
上記半導体集積回路３,３０に、上記受光素子１４で受信された上記光信号が表す受信データを出力する受信データ出力端子１０,１６を備えた。
【００８８】
従来の近接センサでは受光した信号を外部に出力する手段が無かったが、上記実施形態によれば、受信制御部からの受信データを出力する受信データ出力端子１０,１６を半導体集積回路３,３０に備えることによって、受光データを外部に出力することが可能となる。
【００８９】
また、一実施形態の光検出装置では、
上記記憶部１１eは、上記近接検知部１１aにより上記被検知物の近接を検知する上記近接検知モードにおいて、上記近接検知部１１aの制御データの記憶に用いられる。
【００９０】
上記実施形態によれば、通信モードで使用するデータ用レジスタと近接検知モードで使用するデータ用レジスタとを兼用することにより、チップサイズの拡大を防ぐことが可能である。
【００９１】
従来の近接センサでは、センサの動作を制御する制御用レジスタと近接センサの検知状態(受光した赤外線の量をデシタル値に変換したもの)を格納するデータ用レジスタは既に備わっており、この発明の光検出装置では、このデータ用レジスタを通信モードでも使用する。
【００９２】
また、この発明の電子機器では、
上記のいずれか１つの光検出装置が搭載されていることを特徴とする。
【００９３】
上記構成よれば、上記光検出装置を搭載することによって、利便性の高い電子機器を実現できる。
【符号の説明】
【００９４】
２…赤外ＬＥＤ
３…制御用ＩＣ
１０…バス端子
１１…制御回路
１１a…近接検知部
１１b…送信制御部
１１c…受信制御部
１１d…モード切替部
１１e…レジスタ部
１２…パルス発生回路
１３…定電流回路
１４…受光部
１５…信号処理回路
１６…出力端子
１７…赤外線通信用変調回路
１８…赤外線通信用復調回路
１９…赤外線送信用入力端子
２０…接続端子
２１…制御回路
２１a…近接検知部
２１b…モード切替部
２１c…レジスタ部
２３…制御用ＩＣ
３０…携帯電話
３１…液晶パネル
３２…バックライト
３３…制御装置
３４…光検出装置
３５…バス端子
３９…被検知物
【図１】
2014120285.tif 000003
【図２】
2014120285.tif 000004
【図３】
2014120285.tif 000005
【図４】
2014120285.tif 000006
【図５】
2014120285.tif 000007